(57)【特許請求の範囲】
【請求項１】
棒石鹸であって、
（Ａ）  ３０〜６０重量％の脂肪酸混合物のアルカリ金属塩であって、
（ｉ）  前記脂肪酸混合物のアルカリ金属塩の重量を基準にして６５〜９０重量％の１〜１４個の炭素原子を有する石鹸であって、該１〜１４個の炭素原子を有する該石鹸の２〜１５重量％は１〜１０個の炭素原子を含有し、該１〜１０個の炭素原子を有する該石鹸の１〜１０重量％は１〜８個の炭素原子を有する該石鹸、および
（ｉｉ）  前記脂肪酸混合物のアルカリ金属塩の重量を基準にして０〜２５重量％が不飽和石鹸である、１４個より多い炭素原子を有する１０〜３５重量％の石鹸、
から成る前記脂肪酸混合物のアルカリ金属塩；
（Ｂ）  ３〜３５重量％の脂肪酸；
（Ｃ）  グリセロール、および／または、Ｃ８あるいはそれ以下の鎖長を有するヒドロキシカルボン酸またはジカルボン酸の１種類またはそれ以上のアルカリ塩またはアルカリ土類塩から選択される、２〜２５重量％の構成剤；および
（Ｄ）  ３〜１５重量％の水；
を含んで成り、合成界面活性剤を含有しない棒石鹸。
【請求項２】
成分（Ａ）が３５〜５５重量％の量で存在する、請求項１に記載の棒石鹸。
【請求項３】
成分（Ｂ）が５〜３０重量％の量で存在する、請求項１または２に記載の棒石鹸。
【請求項４】
成分（Ｃ）が５〜２０重量％の量で存在する、請求項１〜３のいずれか１項に記載の棒石鹸。
【請求項５】
成分（Ｂ）の脂肪酸が、飽和Ｃ１０〜Ｃ２４アルキルカルボン酸である、請求項１〜４のいずれか１項に記載の棒石鹸。
【請求項６】
成分（Ｂ）において、不飽和脂肪酸の量が、全脂肪酸の２０重量％未満である、請求項１〜５のいずれか１項に記載の棒石鹸。
【請求項７】
成分（Ｂ）において、長鎖（≧Ｃ１６）飽和脂肪酸の量が、全脂肪酸の５０％重量未満である、請求項１〜６のいずれか１項に記載の棒石鹸。
【請求項８】
脂肪酸（Ｂ）／石鹸（Ａ）の比率が０．１またはそれ以上である、請求項１〜７のいずれか１項に記載の棒石鹸。
【発明の詳細な説明】
【０００１】
本発明は、使用時の高起泡性、低つぶれ性、および高クリーム性のような、向上した特性を有する化粧棒石鹸（ｔｏｉｌｅｔ  ｓｏａｐ  ｂａｒ）に関する。
【０００２】
従来の化粧棒石鹸は、世界的に最も重要な身体洗浄製品である。一般に、そのような製品は、非ラウリン脂肪（例えば、牛脂およびパーム油）、およびラウリン油（例えば、ココナツ油およびパーム核油）のアルカリ金属塩、特にナトリウム塩の混合物を含んで成り；そのようなアルカリ金属塩は、以下に石鹸と称される。一般に、非ラウリンの塩／ラウリン油の塩の比率は、２０／８０〜９０／１０である。
【０００３】
消費者の好みに合わせるために、感覚的特性（例えば、マイルド性）を改良する目的で、少量成分を従来の化粧棒石鹸に添加する場合が多い。一般的な添加剤は、合成界面活性剤、例えば、ナトリウムココイルイセチオネート、ナトリウムラウリルエーテルスルフェート、および種々の非イオン界面活性剤を包含する。
【０００４】
あいにく、このような目的に必要な添加剤の量は一般に、製品に対して１０重量％より多く、従って、製造の際の処理を困難にし、望ましくない使用特性、例えば、高溶解性物質の含有による摩耗速度の増加を生じる。従って、これらの製品は、十分な処理が行われることを保証にする特別な器具および方法を必要し、または望ましくない使用特性を修正する追加添加剤を必要とする。そのような特別な処理の必要性および追加添加剤は一般に、製造コストを増加させる。
【０００５】
合成界面活性剤を含有する棒石鹸はマイルドであり、一般に、「なめらかな、湿った」使用後皮膚触感を与える一方、従来の棒石鹸はいくつかの国で好まれる「ドラッギー（ｄｒａｇｇｙ）」（非摩擦的）な使用後触感を与える。
【０００６】
高価な合成界面活性剤にたよらずに、ココナツ油のようなラウリン油だけから誘導される石鹸ブレンドを使用することによって、有利な使用特性を有する棒石鹸を製造し得ることが意外にも見い出された。得られた棒石鹸は、従来の石鹸よりマイルドな有利な使用特性を有し、その点で、合成界面活性剤含有棒石鹸に似ているが、その一方で、高容量のクリーム状の泡を保持する。しかし、合成界面活性剤を必要としないことによって、処理困難性および高つぶれ性も避けることができる。さらに、得られた棒石鹸は、いくつかの国で感覚的に好まれる「ドラッギー」な皮膚触感も保持する。
【０００７】
米国特許第４７６７５６０号は、石鹸の製造における「トップト（ｔｏｐｐｅｄ）」ココナツ脂肪酸の使用を開示している。「トップト」という用語は、ココナツ油の短鎖脂肪酸が、蒸留によって除去されていることを意味する。従って、このようにして製造される製品には、Ｃ６およびＣ８石鹸は含まれず、Ｃ１０石鹸が製品に対して２重量％未満の量で存在する。この最も高い溶解性の成分の不存在によって、起泡の量および速度が減少する。
【０００８】
本発明の棒石鹸は、Ｃ１〜８石鹸が存在しなければならず、従って、多量の泡を急速に生じる点で、米国特許４７６７５６０号に開示されている棒石鹸と異なる。
ＷＯ９７／２２６８４号は、石鹸基剤、パラフィンワックス、水溶性有機溶剤、および水を含んで成る、棒石鹸組成物を開示している。該石鹸基剤は、８〜１４の炭素鎖長を有する飽和脂肪族モノカルボン酸の一価塩およびオレイン酸の一価塩のような可溶性石鹸、および１６〜２４の炭素鎖長を有する飽和脂肪族モノカルボン酸の一価塩のような不溶性石鹸の混合物を含んで成る。
【０００９】
従って、本発明は、
（Ａ）  ３０〜６０重量％の
（ｉ）  １〜１０個の炭素原子を有する２〜１５％の石鹸を含有し、１〜８個の炭素原子を有する１〜１０重量％の石鹸をさらに含有する、１〜１４個の炭素原子を有する６５〜９０％の石鹸、および
（ｉｉ）  ０〜２５％が不飽和石鹸である、１４個より多い炭素原子を有する１０〜３５％の石鹸、
から成る脂肪酸混合物のアルカリ金属塩；
（Ｂ）  ３〜３５重量％の脂肪酸；
（Ｃ）  ２〜２５重量％の構成剤（ｓｔｒｕｃｔｕｒａｎｔ）；および
（Ｄ）  残る重量％の水；
を含んで成る棒石鹸を提供する。
【００１０】
成分（Ａ）は、３０〜６０重量％、好ましくは３５〜５５重量％の量で存在する。成分（Ａ）は、組成物の「非トップト」ラウリン油誘導石鹸分を与え、ココナツ油から誘導するのが好ましい。この成分は、パーム核油から誘導される石鹸も含んで成ることができる。
【００１１】
脂肪酸（Ｂ）は、５〜３０重量％の量で存在するのが好ましい。成分（Ｂ）は、飽和Ｃ１０〜Ｃ２４アルキルカルボン酸であるのが好ましく、不飽和脂肪酸の量が、全脂肪酸の２０％未満であるのが好ましい。
【００１２】
さらに、成分（Ｂ）において、長鎖（≧Ｃ１６）飽和脂肪酸の量が、全脂肪酸の５０重量％未満であるのが好ましい。
【００１３】
本発明の棒石鹸における脂肪酸（Ｂ）／石鹸（Ａ）の比率は一般に、０．１またはそれ以上である。
【００１４】
構成剤（Ｃ）は一般に、５〜２０重量％の量で存在し、グリセロールであってもよい。あるいは、成分（Ｃ）は、短鎖（≦Ｃ８）ヒドロキシ−カルボン酸またはジカルボン酸の１種類またはそれ以上のアルカリ塩またはアルカリ土類塩であってもよく；またはこれらとグリセロールの混合物であってもよい。
【００１５】
水（Ｄ）は３〜１５重量％の量で存在するのが好ましい。
【００１６】
本発明の組成物は、合成界面活性剤を含有しないのが好ましいが、ある場合には少量（即ち、１０重量％またはそれ以下、好ましくは５重量％またはそれ以下）の合成界面活性剤を含有することができる。合成界面活性剤を添加する場合は、一般に組成物のマイルド性をさらに高めるために添加する。合成界面活性剤を添加する場合に、好適な合成界面活性剤は、アニオン界面活性剤、例えば、直接エステル化脂肪イセチオネート、非イオン界面活性剤、例えば、アルコールエトキシレート、または両性界面活性剤、例えばココアミドプロピルベタインを包含する。
【００１７】
前記の成分の他に、本発明の組成物は、１種類またはそれ以上の下記任意成分（それらの例は、当業者によく知られている）を含んで成ることができる：保存剤、着色剤、不透明剤、蛍光増白剤、加湿剤、皮膚軟化剤、殺菌剤、真珠光沢剤、電解質、香料、および皮膚に有益な効果を与える他の成分。
【００１８】
そのような有益な物質の例は、油（例えば、シリコーン油、鉱油、および脂肪酸エステルのような合成油）およびポリマー（例えば、ポリビニルピロリドン、ポリビニルアクリルアミド、セルロースを基剤とする物質、澱粉、および改質澱粉）、ならびに皮膚に有益な効果を与えることがよく知られている他の成分である（１９９７年発行の「Ｉｎｔｅｒｎａｔｉｏｎａｌ  Ｃｏｓｍｅｔｉｃ  Ｉｎｇｒｅｄｉｅｎｔ  Ｈａｎｄｂｏｏｋ」を参照）。
【００１９】
従来の充填剤、例えば、タルク、方解石、およびカオリンを、製品の０〜３０重量％、好ましくは０〜２０重量％の量で組成物に含有させることができる。
【００２０】
本発明の製品は、例えば下記の３つの方法の１つを使用して、当分野において既知の方法によって製造することができる：
Ｉ．グリセロール含有製品：
脂肪を一般的方法によって鹸化して、純石鹸を形成し、遊離グリセロールを石鹸中に保持させる。次に、遊離脂肪酸を純石鹸に添加するか、または乾燥の前に、石鹸流に注入することができる。棒石鹸に仕上げる間に、不透明剤、着色剤、および香料のような少量成分を、乾燥石鹸チップに添加することができる。仕上げ工程は、ミキシング、ミリング（ｍｉｌｌｉｎｇ）、プロッディング（ｐｌｏｄｄｉｎｇ）、およびスタンピングによって従来の方法で行われる。
【００２１】
あるいは、ウォッシング／フィッテング操作の間にグリセロールを純石鹸から除去することができ、乾燥の前または石鹸仕上げの間に必要量のグリセロールを添加することができる。
【００２２】
ＩＩ．ヒドロキシ−カルボキシレート−またはジカルボキシレート−含有製品：
これらの物質は乾燥の前に水溶液として添加することができ、または、それらを酸形態で添加し、石鹸を脂肪酸に転化するために使用することができる。後者の方法は、全遊離脂肪酸を形成するために使用することができ、または、必要であれば、いくらかの遊離脂肪酸を添加することもできる。
【００２３】
ＩＩＩ．混合グリセロール／カルボキシレート−含有製品：
これらは、製品ＩおよびＩＩの製造に関して前記に記載した方法のいずれかを組み合わせることによって製造することができる。
【００２４】
本発明を下記の非制限的実施例によって例示する。
【００２５】
実施例
表１の実施例１および４に示す本発明の製品の配合物を、方法ＩＩによって、乳酸ナトリウム溶液を遊離酸含有純石鹸に予備混合し、このブレンドを乾燥することによって製造した。リボンミキサーを使用して少量成分を添加し、次に、ミリングし、プロッディングし、スタンピングして、棒石鹸を製造した。
【００２６】
さらに、実施例２、３、および５に示す本発明の配合物を、方法Ｉによって、ココナツ油の鹸化、脂肪酸の添加、およびブレンドの真空噴霧乾燥によって製造した。リボンミキサーを使用して少量成分を添加し、次に、ミリングし、プロッディングし、スタンピングして、棒石鹸を製造した。高レベルのタルクが存在する場合に、前記方法に記載のリボンミキサーの代わりにｚ羽根ミキサーを使用して、これを少量成分と一緒に添加する。
【００２７】
配合物１〜５のビレット硬度を、水１２％において８０／２０の牛脂／ココナツ油ブレンドから成る実施例６として示す従来の化粧石鹸と比較した。
【００２８】
この従来の化粧石鹸と比較して、配合物１〜５の使用特性を試験した。
【００２９】
第一に、２０名の未経験有志者から成る試験員が、本発明の配合物を定量的に試験し、それらが、起泡容易性、豊富な泡、濃い泡、クリーム状の泡、および泡触感において、従来の石鹸と比較して有意に（９５％信頼限度）異なる感覚的特性を有すると評価した。
【００３０】
第二に、下記の定量試験を行うように試験員に要求した：
（ｉ）  泡容量を、通常の消費者の使用に近い手洗い法によって測定した。各有志者が、１組の外科用手袋をし、校正した採取漏斗の下で、３０℃の温度において、基準容量の水で棒石鹸を泡立てた。生じた泡の容量を、採取漏斗で測定した。
【００３１】
（ｉｉ）  泡のクリーム性を、試験員の評価の平均値として測定した。
【００３２】
【表１】
0004394830.tif 000002
【００３３】
前記の結果から分かるように、本発明の棒石鹸は、従来の化粧石鹸と比較して、より多い容量の、よりクリーム状の泡を生じる。
【００３４】
さらに、本発明の棒石鹸は、いくつかの国の消費者に好まれる特殊な感覚的特性の「ドラッギー」な使用後触感も与える。また、本発明の棒石鹸は、従来の化粧石鹸より低いｐＨを有し、従って、皮膚に対して低刺激性である。